(57)【要約】      （修正有）【課題】排水口に取り付けられたドーム状に盛り上がった目皿に被せた場合でも、隙間ができず目詰まりを十分に防止できるようなごみ取りフィルタを提供する。【解決手段】不織布又は連続気泡の発泡樹脂製で通水性を有するシート体１１に、渦巻き型の切れ込みを入れることでごみ取りフィルタ１０を形成する。フィルタ１０をドーム状に盛り上がった目皿２１に被せると、渦巻き型の切れ込みによりフィルタ１０は自重で目皿２１の外面に沿ってらせん形に変形し、ほぼ密着する。【選択図】図２
0003159351.tif 000002
【実用新案登録請求の範囲】
【請求項１】
厚み方向に貫通する渦巻き型の切れ込み１２が入れられた、通水性を有する不溶性シート体１１からなるごみ取りフィルタ。
【請求項２】
前記シート体１１は、前記切れ込み１２の無い外縁にできる閉環状の保持枠１３と、この環状の保持枠１３より内側にできる切れ込み１２のある渦巻き部と、からなる請求項1に記載のごみ取りフィルタ。
【請求項３】
前記シート体１１は平面視円形であり、前記切れ込み１２はインボリュート曲線型である請求項１または２に記載のごみ取りフィルタ。
【請求項４】
前記シート体１１は、不織布または連続気泡の発泡樹脂からなる請求項１から３のいずれかに記載のごみ取りフィルタ。
【請求項５】
前記シート体１１は、温度により色が変化する染料または顔料を含む請求項１から４のいずれかに記載のごみ取りフィルタ。
【請求項６】
前記シート体１１は、抗菌剤または防臭剤を含む請求項１から５のいずれかに記載のごみ取りフィルタ。
【考案の詳細な説明】
【技術分野】
【０００１】
この考案は、排水口に取り付けられた目皿に被せて用いられるごみ取りフィルタに関する。
【背景技術】
【０００２】
排水口に取り付けられた目皿（排水トラップ）に、通水性を有するごみ取りフィルタを被せ（載せ）、体毛等のごみをこのフィルタで絡め取り、目詰まりを防止することが行われている。
【０００３】
このような従来のフィルタとして、特許文献１のように、不織布等から形成されたフラットなシート体のものがあり、風呂場の排水口に取り付けられるようなフラットな目皿にこれを被せた場合には、目皿にほぼ密着した状態となってごみを十分に絡め取る。
【０００４】
しかし、小便器の排水口に取り付けるような、ドーム状に盛り上がった目皿にこのようなフィルタを被せると、目皿から大部分が浮き上がった状態となる。
そのため、フィルタと目皿の隙間からごみが流入し、目詰まりを十分に防止することができない問題がある。
【先行技術文献】
【特許文献】
【０００５】
【特許文献１】特開２００５−１７１５１６号公報
【考案の概要】
【考案が解決しようとする課題】
【０００６】
そこでこの考案の課題は、ドーム状に盛り上がった目皿に被せた場合でも、隙間ができず目詰まりを十分に防止できるようなごみ取りフィルタを提供することである。
【課題を解決するための手段】
【０００７】
上記した課題を解決するため、この考案では、通水性を有する不溶性シート体に、厚み方向に貫通する渦巻き型の切れ込みを入れることで、ごみ取りフィルタを形成したのである。
【０００８】
このごみ取りフィルタをドーム状に盛り上がった目皿に被せると、その渦巻き型の切れ込みにより、ごみ取りフィルタは自重でらせん形に変形して（広がって）目皿にほぼ密着する。
そのため、ごみ取りフィルタと目皿との間に隙間がほとんどできず、ごみを十分に絡め取ることが可能となり、その結果目詰まりが防止される。
【０００９】
また、小便器の目皿に被せたごみ取りフィルタに小便が当たると、シート体の緩衝作用により尿が便器から跳ね返るのを抑制できる。
【００１０】
ここでシート体の平面視形状は、一般的な目皿の平面視形状に対応した円形が好ましいが、特にこれに限定されず、楕円形、多角形、花びら型などでもよい。
切れ込みの渦巻き形状も、インボリュート曲線のような滑らかな形状がスムーズに変形するため好ましいが、特にこれに限定されず、角ばった形状などでもよい。
【００１１】
前記シート体は、切れ込みの無い外縁にできる閉環状の保持枠と、保持枠より内側にできる切れ込みのある渦巻き部と、からなるものとすると、ごみ取りフィルタを持ち上げた際に外縁部が保持枠で保形されてばらけないため、取り扱いが容易となる。
【００１２】
前記シート体の材質は不溶性である限り特に限定されないが、不織布または連続気泡の発泡樹脂からなるものとすると、ごみの絡め取り機能が良好であり、また材料コストや製造コストが低廉であるため好ましい。
【００１３】
前記シート体は、温度により色が変化する公知の染料または顔料を含むものとすると、排水口に流れる液体（水や尿を含む）の温度に応じて色が変わるため興趣に富み、またおおよその液温を目視により簡単に確認できるため好ましい。
【００１４】
前記シート体は、公知の抗菌剤または消臭剤を含むのが雑菌の繁殖を防ぎ悪臭を抑えるため好ましい。ごみ取りフィルタを小便器に用いる場合には、消臭剤として尿に含まれるアンモニアを分解する作用を持つものを選択するのが好ましい。
【考案の効果】
【００１５】
ごみ取りフィルタを以上のように構成したので、ドーム状に盛り上がった目皿に被せた場合にらせん形に変形してほぼ密着するため、配管の目詰まりを十分に防止できる。
【図面の簡単な説明】
【００１６】
【図１】（ａ）ごみ取りフィルタの上面図（ｂ）ごみ取りフィルタの斜視図
【図２】ごみ取りフィルタを目皿に被せた状態を示す分解斜視図
【図３】ごみ取りフィルタの使用状態を示す斜視図
【考案を実施するための形態】
【００１７】
以下、図面を参照しつつ、この考案の実施形態について説明する。
【００１８】
図１のように、実施形態のごみ取りフィルタ１０は、平面視円形のシート体１１に、渦巻き型に切れ込み１２を入れることで形成されており、図２のように、排水口の目皿２１に被せて用いられる。
【００１９】
シート体１１は、ポリエチレン、ポリプロピレン、ポリエチレンテレフタレートなどの不溶性の合成樹脂を材料とする不織布から形成されている。
またシート体１１は、不織布からなるため通水性を有しており、また不織布の繊維の網目構造がごみを絡め取れるようになっている。
【００２０】
図１のように、円形のシート体１１の円心には、円孔１１ａが設けられている。
このシート体１１には、公知の抗菌剤や消臭剤が付加されている。また、温度により色が変化する公知の染料や顔料が付加されている。
これら付加の態様は特に限定されず、たとえばシート体１１の素材となる合成樹脂に練りこんでもよいし、表面に付着してもよい。
このような公知の抗菌剤としては、銀、銅およびヒノキチオールが、公知の消臭材としては木炭および竹炭が、それぞれ例示される。
公知の染料および顔料としては、サーモクロミック材料を添加した染料および顔料が例示される。
【００２１】
図１のように、ごみ取りフィルタの切れ込み１２は、シート体１１を厚み方向に貫通しており、円形のシート体１１の外縁側から中心の円孔１１ａに向けて、滑らかな単一の渦巻き型を描いている。渦巻きはインボリュート曲線状の外観を呈しているが、その幅はほぼ均一となっている。
ここで切れ込み１２の一番外側は、シート体１１の外縁にまで達していない。このため、シート体１１の外縁部は切れ込みのない閉じた円環形の保持枠１３となっており、この保持枠１３より内側が切れ込み１２の有る渦巻き部となっている。
【００２２】
実施形態のごみ取りフィルタ１０の構成は、以上であり、これを図２および図３のように、小便器２０の排水口に取り付けられたドーム型に盛り上がった目皿２１に、円孔１１ａが目孔２１ａに合致するように被せる。すると、図示のように、ごみ取りフィルタ１０全体が自重で撓んで目皿２１に沿って平面的形状から立体的形状へと広がり、らせん形かつ凸曲面形に変形する。
【００２３】
したがって、ごみ取りフィルタ１０は、目皿２１の外周にほぼ密着した状態となって、目皿２１との間に隙間が出来なくなる。そのため、排水口に尿が流れる際に、尿に混じった体毛等のごみを逃さず絡め取れるようになっている。このため、目皿２１や排水口の目詰まりを十分に防止することができる。
【００２４】
また、排尿が直接ごみ取りフィルタ１０に当たった際には、シート体１１の緩衝作用により尿が小便器２０の手前側にはね返るのが防止される。
【００２５】
ごみ取りフィルタ１０には、抗菌剤が付加されているため、雑菌が繁殖することがない。また防臭剤として、尿に含まれるアンモニアを分解するものを用いると、悪臭を放つことも無いので衛生的である。
ここで排尿すると尿の温度によりごみ取りフィルタ１０に付加された顔料や染料の色が変化するため、見た目の面白みもある。
【００２６】
なお、ごみ取りフィルタ１０を手で持って目皿２１に被せる作業を行う際には、保持枠１３があるために、外縁部が保形されて全体がばらけないため、取り扱いが容易となっている。
【００２７】
シート体１１の素材は、実施形態の不織布に代えて、ポリエチレン、ポリプロピレン、ポリエチレンテレフタレートなどの不溶性の合成樹脂を材料連続気泡の発泡樹脂としてもよい。この場合も、不織布と同様に通水性を有し、ごみを絡め取る。
【００２８】
また、紙などの水溶性素材を不溶性素材で被膜するなどして加工し、不溶性のシート体１１を作製してもよい。素材の通水機能やごみの絡め取り機能が劣る場合には、シート体１１に多数の微少孔を穿つなどして通水性やごみ捕捉性を高めてもよい。
【００２９】
シート体１１の形状は、実施形態の円形に限定されず、たとえば四角形、楕円形でもよい。切れ込み１２の渦巻き型も実施形態の滑らかな態様に限られず、たとえばシート体１１が四角形であれば、それとほぼ相似形をなす複数の四角形が入れ子様に連続するような、角ばった渦巻き型としてもよい。
【００３０】
シート体１１の形状および切れ込み１２の形状は、目皿２１の外面によく沿うように、目皿２１の平面視形状に対応するのが好ましい。すなわち、目皿２１が長円形であれば、シート体１１は長円形、切れ込み１２は長円形が入れ子様に連続する渦巻き型とするのがよい。
切れ込み１２の渦巻きの幅も実施形態のような均一のものに限定されず、中心に向けて幅が漸減したり、中心に向けて幅が漸増したり、といったいずれの態様も採用できる。
渦巻きの数は単数に限られず、たとえば目皿２１の盛り上がりが２山ある場合には、これにあわせて渦巻きも２つ並列させてもよい。
【００３１】
保持枠１３の形状も実施形態の円環形に限定されず、シート体１１の形状に応じて、長円環形、方環形、多角環形などにすることができる。
切れ込み１２は、シート体１１の外縁まで達するようにして、保持枠１３を省略してもよい。また、いったん切れ込み１２をシート体１１の外縁まで入れておき、切れ込み１２により分離した外縁部分を接着剤等により再結合して保持枠１３を形成してもよい。
【００３２】
製造コスト等を勘案して、シート体１１の円孔１１ａを省略したり、抗菌剤や防臭剤および顔料や染料の付加を省略したりしてもよい。
なお、このごみ取りフィルタ１０は、小便器２０以外の排水口、たとえば風呂場の排水口の目皿２１に被せて使用してもよいことは無論であり、ドーム型に盛り上がった目皿２１に好適に用いられる。
【符号の説明】
【００３３】
１０  ごみ取りフィルタ
１１  シート体
１１ａ  円孔
１２  切れ込み
１３  保持枠
２０  小便器
２１  目皿
２１ａ  目孔
【図１】
0003159351.tif 000003
【図２】
0003159351.tif 000004
【図３】
0003159351.tif 000005
【手続補正書】
【提出日】平成22年3月9日(2010.3.9)
【手続補正１】
【補正対象書類名】実用新案登録請求の範囲
【補正対象項目名】全文
【補正方法】変更
【補正の内容】
【実用新案登録請求の範囲】
【請求項１】
厚み方向に貫通する渦巻き型の切れ込み１２が入れられた、不織布または連続気泡の発泡樹脂製で通水性を有する不溶性シート体１１からなるごみ取りフィルタ。
【請求項２】
前記シート体１１は、前記切れ込み１２の無い外縁にできる閉環状の保持枠１３と、この環状の保持枠１３より内側にできる切れ込み１２のある渦巻き部と、からなる請求項1に記載のごみ取りフィルタ。
【請求項３】
前記シート体１１は平面視円形であり、前記切れ込み１２はインボリュート曲線型である請求項１または２に記載のごみ取りフィルタ。
【請求項４】
前記シート体１１は、温度により色が変化する染料または顔料を含む請求項１から３のいずれかに記載のごみ取りフィルタ。
【請求項５】
前記シート体１１は、抗菌剤または防臭剤を含む請求項１から４のいずれかに記載のごみ取りフィルタ。